(57)【要約】【課題】有機ＥＬ表示装置の製造工程において、移送具を用いて素子基板を搬送するとともに、当該素子基板の少なくとも一部において、素子基板に固着した異物を除去しやすくする。【解決手段】有機ＥＬ表示装置の製造方法において、移送具に粘着シート２４０を備え、その粘着面を素子基板１１０の少なくとも一部に粘着させる粘着工程と、所定の位置にて、前記粘着シート２４０を前記素子基板１１０に粘着させた状態で当該素子基板１１０から前記移送具を分離する分離工程と、別途、前記素子基板１１０から前記粘着シート２４０を剥離する剥離工程と、を有し、前記剥離工程は、前記素子基板１１０から前記粘着シート２４０を剥離させることで、当該粘着シート２４０に粘着した異物を除去する。【選択図】図４
2014132523.tif 000002
【特許請求の範囲】
【請求項１】
移送具に粘着シートを備え、その粘着面を素子基板の少なくとも一部に粘着させる粘着工程と、
所定の位置にて、前記粘着シートを前記素子基板に粘着させた状態で当該素子基板から前記移送具を分離する分離工程と、
別途、前記素子基板から前記粘着シートを剥離する剥離工程と、
を有し、
前記剥離工程は、前記素子基板から前記粘着シートを剥離させることで、当該粘着シートに粘着した異物を除去する、
ことを特徴とする有機ＥＬ表示装置の製造方法。
【請求項２】
前記粘着シートは、複数枚の粘着シートが積層されている粘着シート積層体であり、
前記分離工程は、素子基板に粘着している粘着シートを、当該素子基板に粘着させた状態で粘着シート積層体から分離させることで、前記移送具から粘着シートを分離する、
ことを特徴とする請求項１に記載の有機ＥＬ表示装置の製造方法。
【請求項３】
移送具に粘着シートを備え、その粘着面を素子基板の少なくとも一部に粘着させる粘着工程と、
所定の位置にて前記素子基板から前記粘着シートとともに前記移送具を分離する分離工程と、
を有し、
前記分離工程は、前記素子基板から前記移送具とともに前記粘着シートを分離させることで、当該粘着シートに粘着した異物を除去する、
ことを特徴とする有機ＥＬ表示装置の製造方法。
【請求項４】
前記移送具は、粘着力の異なる２以上の領域が存在する粘着シートを備える、
ことを特徴とする請求項１から３のいずれか一項に記載の有機ＥＬ表示装置の製造方法。
【請求項５】
前記分離工程は、前記移送具とともに一部の前記粘着シートを前記素子基板から分離する、
ことを特徴とする請求項１または２に記載の有機ＥＬ表示装置の製造方法。
【請求項６】
複数枚の粘着シートが積層されている粘着シート積層体を備え、移送元で当該粘着シートの粘着面を素子基板に粘着し、移送先で前記素子基板に粘着させた状態で当該粘着シートを粘着シート積層体から分離させることで素子基板を移送する移送具。
【発明の詳細な説明】
【技術分野】
【０００１】
本発明は、有機ＥＬ表示装置の製造方法及び移送具に関する。
【背景技術】
【０００２】
液晶表示装置、有機ＥＬ表示装置等の薄型表示装置（フラットパネルディスプレイ）を製造する製造工程において、素子基板などの基板を製造工程内で搬送する作業が存在する。そこで、素子基板の搬送では、素子基板の取付け取外しが容易となる真空ピンセットが移送具として広く使われている。特許文献１には、真空ピンセットの中心部を空洞にすることで、素子基板の成膜される面に触れることなく搬送作業を行えることが開示されている。
【先行技術文献】
【特許文献】
【０００３】
【特許文献１】特開２００８−８５２８５号公報
【発明の概要】
【発明が解決しようとする課題】
【０００４】
素子基板などの基板を搬送している間に、基板上に埃等の異物が付着または固着することがある。このような異物が付着または固着したまま製造された表示装置には、画像表示における不具合が発生する恐れがある。特許文献１に記載の真空ピンセットは、真空引きを利用して基板上に付着した異物の除去を行うことは容易であるが、基板上に固着した異物までは除去できない場合がある。
【０００５】
本発明は、上記実情を鑑みて為されたものであり、有機ＥＬ表示装置の製造工程において、移送具を用いて素子基板を搬送するとともに、当該素子基板の少なくとも一部において、素子基板に固着した異物を除去しやすくしたものである。
【課題を解決するための手段】
【０００６】
（１）本発明は、有機ＥＬ表示装置の製造方法であって、移送具に粘着シートを備え、その粘着面を素子基板の少なくとも一部に粘着させる粘着工程と、所定の位置にて、前記粘着シートを前記素子基板に粘着させた状態で当該素子基板から前記移送具を分離する分離工程と、別途、前記素子基板から前記粘着シートを剥離する剥離工程と、を有し、前記剥離工程は、前記素子基板から前記粘着シートを剥離させることで、当該粘着シートに粘着した異物を除去する、こととしたものである。
【０００７】
（２）他の本発明は、上記（１）に記載の有機ＥＬ表示装置の製造方法において、前記粘着シートは、複数枚の粘着シートが積層されている粘着シート積層体であり、前記分離工程は、素子基板に粘着している粘着シートを、当該素子基板に粘着させた状態で粘着シート積層体から分離させることで、前記移送具から粘着シートを分離する、こととしたものである。
【０００８】
（３）さらに他の本発明は、有機ＥＬ表示装置の製造方法において、移送具に粘着シートを備え、その粘着面を素子基板の少なくとも一部に粘着させる粘着工程と、所定の位置にて前記素子基板から前記粘着シートとともに前記移送具を分離する分離工程と、を有し、前記分離工程は、前記素子基板から前記移送具とともに前記粘着シートを分離させることで、当該粘着シートに粘着した異物を除去する、こととしたものである。
【０００９】
（４）別の本発明は、上記（１）〜（３）のいずれか一つに記載の有機ＥＬ表示装置の製造方法において、前記移送具は、粘着力の異なる２以上の領域が存在する粘着シートを備える、こととしたものである。
【００１０】
（５）さらに別の本発明は、上記（１）または（２）に記載の有機ＥＬ表示装置の製造方法において、前記分離工程は、前記移送具とともに一部の前記粘着シートを前記素子基板から分離する、こととしたものである。
【００１１】
（６）本発明に係る移送具は、複数枚の粘着シートが積層されている粘着シート積層体を備え、移送元で当該粘着シートの粘着面を素子基板に粘着し、移送先で前記素子基板に粘着させた状態で当該粘着シートを粘着シート積層体から分離させることで素子基板を移送する、ものである。
【発明の効果】
【００１２】
本発明によれば、有機ＥＬ表示装置の製造工程において、移送具を用いて素子基板を搬送するとともに、当該素子基板の少なくとも一部において、素子基板に固着した異物を除去しやすくなる。
【図面の簡単な説明】
【００１３】
【図１】本発明の実施の形態に係る有機ＥＬ表示装置を概略的に示す断面図である。
【図２】第１実施形態に係る移送具を示す図である。
【図３】本発明の実施の形態に係る素子基板の搬送工程の一例を示すフロー図である。
【図４】第１実施形態に係る素子基板搬送工程の一例を示す図である。
【図５】第２実施形態に係る移送具を示す断面図である。
【図６】第２実施形態に係る素子基板の搬送工程の一例を示す図である。
【図７】第３実施形態に係る素子基板の搬送工程の一例を示す図である。
【図８】第４実施形態に係る移送具を示す断面図である。
【図９】第４実施形態に係る素子基板の搬送工程の一例を示す図である。
【図１０】第６実施形態に係る移送具、素子基板、及び基板トレイを示す斜視図である。
【発明を実施するための形態】
【００１４】
[第１実施形態]
以下、本発明の第１実施形態について図面に基づき詳細に説明する。なお、図面において、同一または同等の要素には同一の符号を付し、重複する説明を省略する。
【００１５】
図１は、第１実施形態に係る有機ＥＬ表示装置１００の断面構造を概略的に示す図である。図１に示すように、第１実施形態に係る有機ＥＬ表示装置１００は、素子基板１１０、画素領域１２０、封止基板１３０、端子部１４０、フレキシブル基板１５０、上フレーム１６０、及び下フレーム１７０、を含んで構成されている。
【００１６】
素子基板１１０は、ガラス基板等の絶縁基板であり、その表面には薄膜トランジスタ（ＴＦＴ）等の駆動回路及び配線が形成されている。画素領域１２０は、有機ＥＬ素子等が形成される領域であり、素子基板１１０上に下部電極、バンク層、有機膜、上部電極などが積層されている。封止基板１３０は、画素領域１２０の形成が終了した後に表示領域の防湿等を目的として画素領域１２０上に貼り付けられる。端子部１４０は、有機ＥＬ表示装置１００の表示領域とならない素子基板１１０の縁部に形成され、フレキシブル基板１５０と接続されている。外部回路と接続されるフレキシブル基板１５０から端子部１４０を介して素子基板１１０上の電極に電流や信号が供給される。そして、上フレーム１６０及び下フレーム１７０により、素子基板１１０等が保持される。
【００１７】
図１に示すような有機ＥＬ表示装置１００の製造方法は、具体的には、例えば、アルミニウム等の導電膜や、半導体膜、絶縁膜の積層やパターニング等の処理を繰り返して、走査信号線、映像信号線、薄膜トランジスタ等を含む素子基板１１０を形成する。次に、素子基板１１０上に薄膜トランジスタと電気的に接続される下部電極を形成する。そして、下部電極の形成後、各画素領域を格子状に区画するようにバンク層が設けられ、下部電極上に各画素の発光色に対応した有機膜が形成される。その後、有機膜上に各色共通の膜厚かつ材料によって表示領域の全域にわたって上部電極が形成され、その上部に封止基板１３０が貼り付けられる。また、素子基板１１０上の縁部には端子が形成され、その上部にフレキシブル基板１５０等が圧着される。
【００１８】
上述したように、有機ＥＬ表示装置の製造は、素子基板１１０上に電極、有機膜等を積層する工程を複数経て実施され、各工程で施される処理は、各工程の処理に対応する異なる装置で行われる。したがって、有機ＥＬ表示装置の製造工程では、ある工程での処理が終了すると、素子基板１１０を装置から取り出し、搬送し、次の装置へ装着するという作業が繰り返される。
【００１９】
第１実施形態では、携帯情報端末等に用いられる小型の有機ＥＬ表示装置の製造工程を対象とし、素子基板１１０を装置から取り出し、搬送し、次の装置へ装着する素子基板１１０の搬送工程は、移送具を用いて作業者により行われることとする。
【００２０】
図２は、第１実施形態に係る移送具２００の一例を示す図である。図２に示すように、第１実施形態に係る移送具２００は、例えば、フレーム２２０、粘着シート２４０などを有して形成されている。
【００２１】
フレーム２２０は、粘着シート２４０の形状を保持するための保持体であり、作業者が把持するための把持部２３０を有して形成されている。フレーム２４０は、金属などの材質で形成されており、作業者が把持部を把持して持ち上げることが可能な程度の重量及び素子基板１１０の移送が可能となる強度を有している。
【００２２】
粘着シート２４０は、素子基板１１０に粘着するための粘着材を備えたフィルム状シートであり、基材と、基材の片面に塗付した粘着材からなる粘着層と、で形成されている。粘着層を有さない面は、粘着材等を介してフレーム２２０に貼り付けられている。粘着層は素子基板１１０に粘着する面であり、素子基板１１０を粘着保持することができ、かつ、その素子基板１１０を容易に剥離できる弱粘着性の粘着材が用いられている。
【００２３】
第１実施形態では、素子基板１１０は矩形の主面を有し、その主面上に画素領域１２０等が成形されることとする。そして、フレーム２２０及び粘着シート２４０は、素子基板１１０の主面と同じ面積の矩形の面を有することとする。
【００２４】
ここで、移送具２００を用いた素子基板１１０の搬送工程の流れの一例を、図３に例示するフロー図を参照しながら説明する。
【００２５】
まず、有機ＥＬ表示装置の製造工程のうちの、１つの工程が終了すると（Ｓ１０１）、作業者が把持部２３０を把持して移送具２００に備えられている粘着シート２４０を素子基板１１０に粘着させる（Ｓ１０２）。次に、作業者が把持部２３０を把持して移送具２００を移動させることで、素子基板１１０は装置から取り出される（Ｓ１０３）。そして、粘着シート２４０を素子基板１１０に粘着させたまま、移送具２００を素子基板１１０から取り外す（Ｓ１０４）。つまり、フレーム２２０に貼り付けられている粘着シート２４０がフレーム２２０から分離される。この時、粘着シート２４０は素子基板１１０に粘着されたままになるため、粘着シート２４０により素子基板１１０は保護される。
【００２６】
図４はＳ１０２〜Ｓ１０６の流れを模式的に示した素子基板１１０及び移送具２００の断面図である。図４（ａ）に示すように、Ｓ１０１において、工程終了後、素子基板１１０は装置内にあり、移送具２００は素子基板１１０を搬送する準備段階にある。図４（ｂ）に示すように、Ｓ１０２において、画素領域１２０及び端子部１４０を含む素子基板１１０の全域を覆うように、移送具２００が粘着シート２４０を介して素子基板１１０に粘着される。そして、図４（ｃ）に示すように、Ｓ１０３において、作業者が把持部２３０を把持して移送具２００を移動させると、素子基板１１０が粘着シート２４０に粘着した状態で装置から取り出される。そして、装置から取り出された素子基板１１０が移送具２００から分離される際は、図４（ｄ）に示すように、粘着シート２４０は、素子基板１１０に粘着された状態で、フレーム２２０から分離される。そうすることで、素子基板１１０は粘着シート２４０により保護された状態で次の装置まで搬送されるため、素子基板１１０に埃等の異物が付着することを防ぐことができる。
【００２７】
次に、Ｓ１０４にて移送具２００から分離された素子基板１１０は粘着シート２４０に粘着された状態で次の工程が行われる装置まで搬送される（Ｓ１０５）。ここで、素子基板１１０の搬送方法としては、例えば、回転コロ上に素子基板１１０を乗せて移動させるコロ搬送、移動するベルト上に素子基板１１０を乗せて移動させるベルト搬送、ロボットアームにて素子基板１１０を移動させるロボット搬送などが用いられる。なお、作業者の手により次の工程が行われる装置まで搬送されてもよい。そして、次の工程の処理が開始される直前に、図４（ｅ）に示すように、素子基板１１０に粘着している粘着シート２４０は、素子基板１１０から剥離される（Ｓ１０６）。ここで、粘着シート２４０は、作業者によりピンセット等で素子基板１１０から剥離されることとしてもよいし、装置の処理において素子基板１１０から剥離されることとしてもよい。この時、粘着シート２４０が素子基板１１０から剥離されると同時に、素子基板１１０に付着または固着していた異物が粘着シート２４０に粘着して除去される。そして、粘着シート２４０が剥離された素子基板１１０に対して、次の工程の処理が開始される（Ｓ１０７）。
【００２８】
[第２実施形態]
次に第２実施形態について説明する。図５は第２実施形態に係る移送具２００の一例を示す断面図である。図５に示すように、第２実施形態に係る移送具２００は、第１実施形態における粘着シート２４０を複数枚の粘着シートが積層された粘着シート積層体２６０としたものである。
【００２９】
第２実施形態における粘着シート積層体２６０を構成する各粘着シート２４０Ａは、第１実施形態における粘着シート２４０と同等の性質を有しており、粘着シート積層体２６０は、その粘着層を有さない背面を、接着剤等を介してフレーム２２０に貼り付けられている。第２実施形態における各粘着シート２４０Ａは１枚ずつ粘着対象に粘着して分離されるようになっており、１枚の粘着シート２４０Ａが粘着シート積層体２６０から分離されることで表出する面が新たな粘着面となり、第２実施形態に係る移送具２００は繰り返し使用することが可能となる。
【００３０】
第２実施形態に係る移送具２００を用いた素子基板１１０の搬送工程の流れの一例を図３に例示するフロー図を参照しながら説明する。図６は第２実施形態におけるＳ１０２〜Ｓ１０４の流れを模式的に示した移送具２００及び素子基板１１０の断面図である。図６（ａ）に示すように、Ｓ１０１において、工程終了後、素子基板１１０は装置内にあり、移送具２００は素子基板１１０を搬送する準備段階にある。図６（ｂ）に示すように、Ｓ１０２において、画素領域１２０及び端子部１４０を含む素子基板１１０の全域を覆うように、移送具２００が粘着シート積層体２６０を介して素子基板１１０に粘着される。そして、図６（ｃ）に示すように、Ｓ１０３において、作業者が把持部２３０を把持して移送具２００を移動させると、素子基板１１０が粘着シート積層体２６０に粘着した状態で装置から取り出される。そして、装置から取り出された素子基板１１０が移送具２００から分離される際は、図６（ｄ）に示すように、粘着シート積層体２６０のうち素子基板１１０に粘着した１枚の粘着シート２４０Ａが、素子基板１１０に粘着された状態で、粘着シート積層体２６０から分離される。そうすることで、素子基板１１０は粘着シート２４０Ａにより保護された状態で次の装置まで搬送されるため、素子基板１１０に埃等の異物が付着することを防ぐことができる。そして、移送具２００は、粘着シート積層体２６０から１枚分離したことで表出した面が新たな粘着面となるため、そのまま繰り返し使用することができる。なお、Ｓ１０５以下の処理は第１実施形態における処理と同じであるから、この説明については重複するためここでは省略する。
【００３１】
[第３実施形態]
次に第３実施形態について説明する。第３実施形態では第１実施形態に係る移送具２００を用いて、移送具２００と粘着シート２４０とを同時に分離することとしたものである。第４実施形態に係る移送具２００を用いた素子基板１１０の搬送工程の流れの一例を図７に例示する移送具２００及び素子基板１１０の断面図を参照しながら説明する。図７（ａ）〜図７（ｃ）に示す処理は、第１実施形態に係る図４（ａ）〜図４（ｃ）の処理と同様であるから、この説明については重複するためここでは省略する。
【００３２】
移送具２００に粘着されて装置から取り出された素子基板１１０は次の装置まで搬送される。ここで、素子基板１１０の搬送方法としては、上記第１実施形態で述べたものと同様の方法を用いることができる。そして、図７（ｄ）に示すように、次の工程における処理が行われる直前に、素子基板１１０に粘着している移送具２００を素子基板１１０から分離する。ここでは、粘着シート２４０はフレーム２２０に貼り付けたまま、粘着シート２４０を素子基板１１０から剥離することで、移送具２００を素子基板１１０から分離する。そして、移送具２００が分離された素子基板１１０に対して、次の工程の処理が開始される。こうすることで、移送具２００を取り外す工程と、粘着シートを剥離する工程を同時に実施することとなり、素子基板１１０の搬送工程を短縮することが可能となる。
【００３３】
[第４実施形態]
次に第４実施形態について説明する。第４実施形態では、第１実施形態における粘着シート２４０を粘着力の異なる２つの領域が存在する粘着シート２８０としたものである。有機ＥＬ表示装置の製造工程において、端子部１４０に電極２６５が配置された後に、電極の上部に封止膜２７０を形成する工程と、その後に当該封止膜２７０を剥離する端子出し工程が存在する。従来、この端子出し工程は、セロハンテープ等の粘着材を用いて手作業で実施されている。そこで、第４実施形態では、移送具２００を用いて、素子基板１１０を搬送するとともに、端子部１４０の封止膜２７０を剥離する端子出し工程を短縮する手法を提示する。
【００３４】
図８は第４実施形態に係る移送具２００及び素子基板１１０の一例を示す断面図である。図８に示すように、第４実施形態に係る移送具２００は、粘着力の異なる２つの領域が存在する粘着シート２８０を有して形成されている。当該２つの領域のうちの一方は粘着力の強い強粘着領域２８２で、端子部１４０を保護可能な大きさの領域である。他方は、粘着力の弱い弱粘着領域２８４で、画素領域１２０を保護可能な大きさの領域である。そして、第４実施形態では、図８に示すように、端子部１４０に電極２６５が配置された後に電極の上部に封止膜２７０を形成する工程において、端子部１４０の電極２６５上に有機膜などの剥離促進作用のある剥離促進膜２９０を形成した後に封止膜２７０を形成することとする。
【００３５】
ここで、第４実施形態に係る移送具２００を用いた素子基板１１０の搬送工程の流れの一例を図３に例示するフロー図を参照しながら説明する。図９は第４実施形態におけるＳ１０２〜Ｓ１０６の流れを模式的に示した移送具２００及び素子基板１１０の断面図である。図９（ａ）に示すように、Ｓ１０１において、工程終了後、画素領域１２０、端子部１４０、電極２６５、封止膜２７０、及び剥離促進膜２９０を有する素子基板１１０は装置内にあり、移送具２００は素子基板１１０を搬送する準備段階にある。図９（ｂ）に示すように、Ｓ１０２において、素子基板１１０の全域を覆うように、移送具２００が粘着シート２８０を介して素子基板１１０に粘着される。この時、粘着シート２８０は、領域２８２が端子部１４０、封止膜２７０、及び剥離促進膜２９０を覆う位置に、領域２８４が画素領域１２０を覆う位置になるように粘着している。そして、図９（ｃ）に示すように、Ｓ１０３において、作業者が把持部２３０を把持して移送具２００を移動させると、素子基板１１０が粘着シート２８０に粘着した状態で装置から取り出される。そして、装置から取り出された素子基板１１０が移送具２００から分離される際は、図９（ｄ）に示すように、粘着シート２８０は、素子基板１１０に粘着された状態で、フレーム２２０から分離される。そうすることで、素子基板１１０は粘着シート２８０により保護された状態で次の装置まで搬送されるため、素子基板１１０に埃等の異物が付着することを防ぐことができる。
【００３６】
次に、Ｓ１０４にて移送具２００から分離された素子基板１１０は粘着シート２８０に粘着された状態で次の工程が行われる装置まで搬送される（Ｓ１０５）。そして、次の工程の処理が開始される直前に、素子基板１１０に粘着している粘着シート２８０は、素子基板１１０から剥離される（Ｓ１０６）。この時、図９（ｅ）に示すように、剥離促進膜２９０と領域２８２の強粘着材とが作用し、領域２８２に封止膜２７０及び剥離促進膜２９０が粘着されて素子基板１１０から剥離される。そして、粘着シート２８０が剥離された素子基板１１０に対して、次の工程の処理が開始される（Ｓ１０７）。そうすることで、素子基板１１０を搬送するとともに、端子出し工程を実施することができ、当該端子出し工程を短縮することが可能となる。
【００３７】
なお、第２実施形態における粘着シート積層体２６０を粘着力の異なる２つの領域が存在する粘着シート積層体としてもよい。
【００３８】
[第５実施形態] 
次に第５実施形態について説明する。第５実施形態では、第１実施形態におけるＳ１０４にて素子基板１１０から移送具２００を分離する際に、粘着シート２４０の一部を移送具２００とともに素子基板１１０から分離させることとする。具体的には、例えば、素子基板１１０の画素領域１２０にのみ粘着シート２４０を残し、画素領域１２０を含まない縁部等の領域の粘着シート２４０は移送具とともに分離させる。つまり、異物付着することで影響が出る画素領域１２０を粘着シート２４０で保護し、画素領域１２０とならない縁部などは保護しないこととなる。そして、縁部等の領域の粘着シートは交換することなく繰り返し使用できるようにする。そうすることで、粘着シートの使用量を削減することが可能となる。
【００３９】
なお、第５実施形態の粘着シート２４０の一部を移送具２００とともに素子基板１１０から分離させる構成は、第２実施形態における粘着シート積層体２６０に適用させてもよい。具体的には、例えば、移送具２００は、画素領域１２０に相当する領域は粘着シート積層体２６０を用い、画素領域１２０が含まれない縁部等の領域は１層の粘着シートを用いて形成される。この場合、画素領域１２０と縁部とで粘着シートの厚み差が出ることで、移送具２００を素子基板１１０に粘着させる際に、縁部の粘着シートが素子基板１１０に粘着されないことが起きないよう粘着シート積層体２６０は厚み方向の伸縮性に優れた材質を用いることとする。
【００４０】
[第６実施形態]
次に第６実施形態について説明する。上述の実施形態では、移送具２００を用いた素子基板１１０の搬送工程は作業者により行われることとしたが、第６実施形態では、移送具２００を用いた素子基板１１０の搬送工程を自動化することとする。図１０は第６実施形態に係る移送具２００、素子基板１１０、及び基板トレイ３００の斜視図を示している。図１０に示すように、第６実施形態における移送具２００はフレーム２２０、粘着シート２４０、ブラケット３２０、及びセンサ３４０を備えて形成されている。そして第６実施形態における基板トレイ３００は、素子基板１１０を収納し得る大きさの溝と、位置マーク３６０を備えて形成されている。ブラケット３２０は、フレーム２２０と同様の材質で形成されており、ロボットアーム等の自動制御される装置に取り付ける支持具である。センサ３４０は、位置マーク３６０を検出し、移送具２００が素子基板１１０に正確に粘着する位置に位置補正をするために用いられる。基板トレイ３００は、装置で用いられるトレイであり、基板トレイ３００に収納された素子基板１１０に対して処理が施される。
【００４１】
第６実施形態では、１つの工程が終了すると、移送具２００を取り付けたロボットアーム等が稼働し、素子基板１１０を移送具２００に粘着させて、基板トレイ３００から取り出し、次の装置まで搬送し、次の装置に装着する。そして、次の装置に装着させた後に移送具２００を素子基板１１０から分離させる。このような自動制御される装置を用いることで、大型の有機ＥＬ表示装置の製造工程にも適応させることが可能となる。
【００４２】
なお、本発明は上述の実施形態に限定されるものではない。
【００４３】
例えば、基板トレイ、素子基板、フレーム、ハンドル、及び粘着シートの形状は上述の例に限定されるものではない。例えば、フレームまたは粘着シートの大きさは素子基板の大きさと一致しなくてもよい。つまり、画素領域１２０の大きさに相当する形状でもよいし、素子基板の縁部を型取る形状でもよい。また、第２実施形態における粘着シート積層体２６０の各粘着シート２４０Ａの枚数も限定されない。
【００４４】
また、第４実施形態において、画素領域１２０に相当する領域に弱粘着力の粘着シートを、端子部１４０に相当する領域に強粘着力の粘着シートを粘着させることとしたが、粘着力の異なる領域を２以上設けてもよいし、画素領域１２０または端子部１４０を含まない部分に粘着力の異なる領域を設けてもよい。
【００４５】
第６実施形態において基板トレイ３００は、素子基板１１０を収納し得る大きさの溝を備えて成形されているが、基板トレイ３００は、素子基板１１０の出し入れを容易にするために、矩形の溝の角部に重なるよう円柱状の溝をさらに備えてもよい。
【００４６】
また、粘着シート２４０は、素子基板１１０を粘着保持するためのフィルム状シートであり、基材と基材の両面に貼り付けた粘着層Ｃ及び粘着層Ｄを有して形成されていてもよい。この場合、粘着層Ｃは、フレーム２２０に粘着し、粘着層Ｄは素子基板１１０に粘着する。そして、フレーム２２０から粘着シート２４０が分離する際は、粘着層Ｃがフレーム２２０から分離する。なお、フレーム２２０に粘着層Ｃが形成されていてもよい。この場合は、フレーム２２０から粘着シート２４０が分離する際は、粘着層Ｃが粘着シート２４０から分離する。
【符号の説明】
【００４７】
１００  有機ＥＬ表示装置、１１０  素子基板、１２０  画素領域、１３０封止基板、１４０  端子部、１５０  フレキシブル基板、１６０  上フレーム、１７０  下フレーム、２００  移送具、２２０  フレーム、２３０  把持部、２４０,２４０Ａ  粘着シート、２６０  粘着シート積層体、２６５  電極、２７０  封止膜、２８０  粘着シート、２８２  強粘着領域、２８４  弱粘着領域、２９０  剥離促進膜、３００  基板トレイ、３２０  ブラケット、３４０  センサ、３６０  位置マーク。
【図１】
2014132523.tif 000003
【図２】
2014132523.tif 000004
【図３】
2014132523.tif 000005
【図４】
2014132523.tif 000006
【図５】
2014132523.tif 000007
【図６】
2014132523.tif 000008
【図７】
2014132523.tif 000009
【図８】
2014132523.tif 000010
【図９】
2014132523.tif 000011
【図１０】
2014132523.tif 000012